(57)【特許請求の範囲】
【請求項１】
雄部材と雌部材とからなる連結装置であって、
雄部材は、頭部と脚部とを備えた第一パーツと、この脚部の通し穴とその外側に弾性変形可能な突出部とを備えた第二パーツとからなり、連結対象の一つに形成された取り付け穴に挿入されて突き出される第一パーツの脚部を突出部の突きだし側と反対の側から第二パーツの通し穴に挿入することでこの連結対象の一つに取り付けられるようになっており、
雌部材は、連結対象の他の一つに取り付けられる雄部材の第一パーツの脚部の受け入れパーツと、この受け入れパーツの入り口を付勢により覆うと共に脚部の挿入によりこの付勢に抗して入り口から退避する蓋パーツとを備えており、
雄部材の第一パーツの脚部を雌部材の受け入れパーツに、前記突出部を弾性変形させながら入れ込ませると共に、第二パーツの通し穴を軸受けとして第一パーツを所定捻回位置まで捻回させることで、第一パーツを受け入れパーツに掛合させるようにしてあることを特徴とする連結装置。
【請求項２】
雄部材の第一パーツに、雌部材の受け入れパーツ又は連結対象の他の一つに備えられた電極に、所定捻回位置において接して、連結対象の一つに備えられた電気回路と他の一つに備えられた電気回路とを接続させる電極が備えられていることを特徴とする請求項１に記載の連結装置。
【請求項３】
雄部材の第二パーツに、第一パーツの捻回前位置からの逆転を阻止する第一規制部と、第一パーツの所定捻回位置から先への正転を阻止する第二規制部とが形成されていることを特徴とする請求項１又は請求項２に記載の連結装置。
【発明の詳細な説明】
【技術分野】
【０００１】
この発明は、連結対象の一つに取り付けられる雄部材と、連結対象の他の一つに取り付けられる雌部材とからなり、かかる雌部材に雄部材の一部を入れ込ませた状態からこの雄部材側を所定捻回位置まで捻回させることで両部材を留め付け合わせて連結対象の連結をなす連結装置の改良に関する。
【背景技術】
【０００２】
雄部材と雌部材とからなると共に、雌部材の挿入口を、この挿入口からの雄部材の入れ込み時に、退避する蓋体によって覆うようにしたコネクタがある。（特許文献１参照）かかるコネクタにあっては、雌部材に雄部材を組み合わせていない状態において、その内部が見えないように、また、その内部に塵埃などがたまらないように、することができる。
【特許文献１】特開２００６−２１９０２３号公報
【発明の開示】
【発明が解決しようとする課題】
【０００３】
この発明が解決しようとする主たる問題点は、この種の連結装置において雄部材と雌部材との組み合わせ状態をより安定的なものとして、連結装置を介した連結対象同士の連結状態をより適切なものとする点にある。
【課題を解決するための手段】
【０００６】
前記課題を達成するために、この発明にあっては、連結装置を、以下の（１）〜（４）の構成を備えたものとした。
（１）雄部材と雌部材とからなる連結装置であって、
（２）雄部材は、頭部と脚部とを備えた第一パーツと、この脚部の通し穴とその外側に弾性変形可能な突出部とを備えた第二パーツとからなり、連結対象の一つに形成された取り付け穴に挿入されて突き出される第一パーツの脚部を突出部の突きだし側と反対の側から第二パーツの通し穴に挿入することでこの連結対象の一つに取り付けられるようになっており、
（３）雌部材は、連結対象の他の一つに取り付けられる雄部材の第一パーツの脚部の受け入れパーツと、この受け入れパーツの入り口を付勢により覆うと共に脚部の挿入によりこの付勢に抗して入り口から退避する蓋パーツとを備えており、
（４）雄部材の第一パーツの脚部を雌部材の受け入れパーツに、前記突出部を弾性変形させながら入れ込ませると共に、第二パーツの通し穴を軸受けとして第一パーツを所定捻回位置まで捻回させることで、第一パーツを受け入れパーツに掛合させるようにしてある。
【０００７】
かかる構成によれば、連結対象の一つに取り付けられた雄部材の第一パーツの脚部を、連結対象の他の一つに取り付けられた雌部材の受け入れパーツに入れ込ませた後、これを所定捻回位置まで捻回させることで、連結対象の一つと連結対象の他の一つを、ガタつき少なく留め付け合わせることができる。すなわち、雌部材の受け入れパーツに入れ込まれた雄部材の第一パーツの脚部は蓋パーツの付勢によりこの受け入れパーツから押し出される向きの付勢を蒙ると共に、第二パーツの突出部の弾性変形により両連結対象を離す向きの力が作用されることから、第一パーツと受け入れパーツとの掛合箇所を押し付け合わせることができる。かかる留め付け状態は、雄部材の第一パーツを捻回前の位置まで逆向きに捻回させることで、前記付勢により第一パーツの脚部は雌部材の受け入れ部から押し出され、スムースに解かれる。雌部材の受け入れ部の入り口は付勢により復帰される蓋パーツにより再び閉塞される。
【０００８】
雄部材の第一パーツに、雌部材の受け入れパーツ又は連結対象の他の一つに備えられた電極に、所定捻回位置において接して、連結対象の一つに備えられた電気回路と他の一つに備えられた電気回路とを接続させる電極を備えさせておくこともある。
【０００９】
このようにした場合、連結対象の一つと他の一つとを連結装置により連結させながら、同時にこれらに備えられた電気回路を接続させることができ、連結装置を同時にコネクタとして機能させることができる。
【００１０】
雄部材の第二パーツに、第一パーツの捻回前位置からの逆転を阻止する第一規制部と、第一パーツの所定捻回位置から先への正転を阻止する第二規制部とを形成させておくこともある。
【００１１】
このようにした場合、雄部材と雌部材との留め付けを、雄部材の第一パーツを正転方向に捻回操作することによってのみ実現されるようにできると共に、所定捻回位置を超えて捻回されてこの留め付け状態が不十分になってしまうことを防止できる。また、これにより、雄部材に前記電極を備えさせたときには、連結対象の他の一つの陽極と雄部材の陽極が、また、連結対象の他の一つの陰極と雄部材の陰極とが、前記所定捻回位置への捻回により正しく接するようにすることができる
【発明の効果】
【００１２】
この発明にかかる連結装置によれば、雄部材の第二パーツによって雄部材の第一パーツを連結対象の一つに取り付けることができると共に、この第二パーツの角筒状部と雌部材の受け入れパーツとによって、また、この第二パーツの突出部と雌部材の蓋パーツとによって、雄部材と雌部材とをガタつきなく強固に組み合わせることができる。
【発明を実施するための最良の形態】
【００１３】
以下、図１〜図１４に基づいて、この発明を実施するための最良の形態について説明する。なお、ここで図１〜図１０は連結装置の実施の形態の一つを、図１１〜図１４は図１〜図１０に示される連結装置の構成の一部を変更させた例を、それぞれ示している。具体的には、図１及び図２は連結装置を構成する雄部材Ｍを、図３は同雌部材Ｆを、図４〜図７は連結対象の一つ１に雄部材Ｍを取り付けさせた様子を、図８〜図１０は図４〜図７の状態から連結対象の他の一つ２に取り付けられた雌部材Ｆに雄部材Ｍの一部を入れ込ませると共に、この雄部材Ｍの第一パーツ３を所定捻回位置まで捻回させて両連結対象１、２を留め付け合わせた様子を、それぞれ示している。
【００１４】
また、図１１は前記変更例にかかる雄部材Ｍの第一パーツ３を、図１２および図１３はこの変更例において雄部材Ｍの第一パーツ３を所定捻回位置まで捻回させて両連結対象１、２を留め付け合わせた様子を、図１４はこの変更例にかかる雄部材Ｍの第一パーツ３を所定捻回位置に捻回操作する前の様子を図７と同様の位置での断面によって表している。
【００１５】
この実施の形態にかかる連結装置は、連結対象の一つ１に取り付けられる雄部材Ｍと、連結対象の他の一つ２に取り付けられる雌部材Ｆとからなり、かかる雌部材Ｆに雄部材Ｍの一部を入れ込ませた状態からこの雄部材Ｍの一部を所定捻回位置まで捻回させることで両部材Ｍ、Ｆを留め付け合わせて連結対象１、２の連結をなすものである。
【００１６】
かかる雄部材Ｍは、頭部３０と脚部３１とを備えた第一パーツ３と、内側をこの脚部３１の通し穴４０ａとした角筒状部４１を備えると共にこの通し穴４０ａの外側に弾性変形可能な突出部４０ｇを備えた第二パーツ４とからなる。そして、連結対象の一つ１に形成された取り付け穴１０に挿入されて突き出される第一パーツ３の脚部３１を突出部４０ｇの突きだし側と反対の側から第二パーツ４の通し穴４０ａに挿入することでこの連結対象の一つ１に取り付けられるようになっている。
【００１７】
図示の例では、雄部材Ｍの第一パーツ３は、頭部３０を円板状に構成させると共に、脚部３１をこの頭部３０の一面側においてこの頭部３０の略中央位置からこの一面に直交する向きに突き出す棒状をなすように構成させている。
【００１８】
頭部３０の一面側にはその中央側に円形隆起部３０ａが形成されており、脚部３１はこの円形隆起部３０ａの中央から突き出されている。頭部３０の他面側には、この頭部３０の中心を通ってこの頭部３０の直径方向に亘る板状摘み部３０ｂが形成されている。板状摘み部３０ｂは頭部３０の他面に直交する向きにこの他面から突き出している。また、この頭部３０の他面の中央側には円形凹部３０ｃが形成されており、この円形凹部３０ｃを利用して板状摘み部３０ｂを摘みやすくさせている。
【００１９】
脚部３１は、一端を頭部３０に一体に連接させた脚主体３１ａと、この脚主体３１ａの他端に設けられたロック片３１ｂとを備えている。ロック片３１ｂは、略長方形の板状をなすように構成されている。このロック片３１ｂの一面側であってその長さ方向略中程の位置に脚主体３１ａの他端が一体に連接されており、ロック片３１ｂの両端側はそれぞれ脚主体３１ａの他端において脚主体３１ａの軸線に直交する向きに突き出している。
【００２０】
一方、図示の例では、雄部材Ｍの第二パーツ４は、中央に第一パーツ３の脚部３１は通すが頭部３０は通さない大きさの通し穴４０ａを備えた円板状部４０と、この円板状部４０の一面４０ｅ側から突き出す角筒状部４１とを備えている。
【００２１】
円板状部４０の縁部には、この円板状部４０の一面４０ｅ側において、この縁部に沿って形成されて周回状をなす突出部４０ｇが形成されている。この突出部４０ｇはその突きだし端に向かうに連れて次第に円板状部４０の中央から離れる向きに傾斜されて突き出されておりスカート状を呈している。通し穴４０ａは、雄部材Ｍの脚部３１のロック片３１ｂの外郭形状に倣った長方形の穴状をなすように構成されている。
【００２２】
角筒状部４１は、筒両端を共に開放させると共に、筒一端を前記通し穴４０ａに連通させている。角筒状部４１は、その筒軸に直交する向きの断面外郭形状および内郭形状を共に、長辺側と短辺側とを備える長方形状としている。また、この角筒状部４１は、その両短辺側にそれぞれその筒軸に沿った割溝４１ａを形成されて二分割されている。角筒状部４１の筒一端は円板状部４０の一面４０ｅ側において筒内空間をこの通し穴４０ａに連通させた状態でこの一面に一体に連接されている。長方形状をなす通し穴４０ａの長辺４０ｂに角筒状部４１の長辺側の内壁が続き、この通し穴４０ａの短辺４０ｃに角筒状部４１の短辺側の内壁が続くようになっている。角筒状部４１は、その他端に近づくに連れて次第に内側の大きさを小さくするように形成されており、角筒状部４１の筒他端４１ｂの筒口の大きさは雄部材Ｍの脚部３１のロック片３１ｂの大きさよりもやや小さくなっている。
【００２３】
かかる角筒状部４１を二分する割溝４１ａは円板状部４０の通し穴４０ａの短辺４０ｃの中央に形成された凹所４０ｄに連続するようになっている。円板状部４０の通し穴４０ａの両短辺４０ｃ、４０ｃの縁部にはそれぞれ、この円板状部４０の他面４０ｆ側において、前記凹所４０ｄを挟んだ両側においてそれぞれこの縁部から突き出すリブ状突部４０ｈが形成されており、これらリブ状突部４０ｈの一方によって後述する第一規制部４０ｊが形成され、これらリブ状突部４０ｈの他方によって後述する第二規制部４０ｋが形成されている。
【００２４】
また、円板状部４０の他面４０ｆ側の縁部であって、通し穴４０ａの両長辺４０ｂ、４０ｂの長さ方向略中程を通る仮想の直線ｘ上に位置される箇所には、短寸円柱状をなす回り止め部４０ｍが形成されている。（図１）
【００２５】
第二パーツ４の円板状部４０の他面４０ｆと角筒状部４１の筒他端４１ｂとの間隔は、第一パーツ３の頭部３０の円形隆起部３０ａとロック片３１ｂのこの頭部３０側を向いた面との間隔と略等しくなっている。（図５、図６）また、第二パーツ４の通し穴４０ａの両短辺４０ｃ、４０ｃの縁部に形成されたリブ状突部４０ｈの内面４０ｉはそれぞれ、円形隆起部３０ａの外周面の位置される仮想の円の円弧に沿った面となっている。（図７）図示の例では、第一パーツ３の脚部３１を、連結対象の一つ１に形成されたこの第一パーツ３の頭部３０は入り込ませないが円形隆起部３０ａまでを挿入可能とする円形の主穴部１０ａと、この主穴部１０ａの直径方向両側にそれぞれ連通して外方に延びる分岐穴部１０ｂとからなる取り付け穴１０に入れ込ませた後、この取り付け穴１０から突き出される脚部３１を第二パーツ４の円板状部４０の他面４０ｆ側からその通し穴４０ａに、この通し穴４０ａの長辺４０ｂにロック片３１ｂの長さ側が沿うようにして入れ込ませきることで、このロック片３１ｂの頭部３０に向けられた面に角筒状部４１の筒他端４１ｂを掛合させて、かかる連結対象の一つ１に雄部材Ｍを取り付けるようになっている。
【００２６】
具体的には、第二パーツ４の通し穴４０ａを通じた角筒状部４１への第一パーツ３の脚部３１の入れ込みに伴って、この角筒状部４１はこの脚部３１のロック片３１ｂによって前記割溝４１ａを挟んだ一方側と他方側とを弾性変形により次第に外向きに広がり出させると共に、この脚部３１のロック片３１ｂが角筒状部４１の筒他端４１ｂから抜け出した入れ込みきった位置で弾性復帰してこのロック体の頭部３０に向けられた面に角筒状部４１の筒他端４１ｂを掛合させるようになっている。第二パーツ４は前記回り止め部４０ｍを前記取り付け穴１０の分岐穴部１０ｂに入り込ませる位置で第一パーツ３の脚部３１をこのように受け入れ可能となっている。また、第二パーツ４のリブ状突部４０ｈは取り付け穴１０の主穴部１０ａ内に入り込むようになっている。
【００２７】
雌部材Ｆは、連結対象の他の一つ２に取り付けられる雄部材Ｍの第一パーツ３の脚部３１の受け入れパーツ５と、この受け入れパーツ５の入り口５３を付勢により覆うと共に脚部３１の挿入によりこの付勢に抗して入り口５３から退避する蓋パーツ６とを備えている。
【００２８】
図示の例では、受け入れパーツ５は、二つの短寸側の側板５０、５０と、二つの長寸側の側板５１、５１と、底板５２とを備え、この底板５２と反対の側を開放させた箱状をなすように構成されている。受け入れパーツ５の開放側、つまり入り口５３には、この入り口５３縁を巡る外鍔５４が形成されている。受け入れパーツ５の二つの短寸側の側板５０、５０にはそれぞれ、この側板５０に形成された割溝５５によって底板５２の側を変形基部とし外鍔５４の側を自由端としこの自由端の外側に外鍔５４の側を向いた掛合部５６ａを備えた弾性片５６が形成されている。そして、図示の例では、連結対象の他の一つ２に設けられた受け入れパーツ５の外郭形状に倣った長方形状の取り付け穴２０ａに、この外鍔５４が穴縁部に引っかかる位置まで受け入れパーツ５を入れ込ませることで、この入れ込みの過程で取り付け穴２０ａの穴縁に掛合部５６ａを摺接させて内向きに撓み込まされた前記弾性片５６を弾性復帰させその外鍔５４とその掛合部５６ａとの間で前記取り付け穴２０ａの穴縁を前後より挟み付けて、この連結対象の他の一つ２への雌部材Ｆの取り付けがなされるようになっている。この受け入れパーツ５の断面内郭形状は、雄部材Ｍの脚部３１のロック片３１ｂの外郭形状に略倣った形状となっている。
【００２９】
蓋パーツ６は、受け入れパーツ５の入り口５３を塞ぐ大きさを備えると共に、受け入れパーツ５に前記底板５２に対する接離移動可能に支持された板状体として構成されている。図示の例では、受け入れパーツ５の短寸側の側板５０に入り口５３側から底板５２側に向けて続く案内溝５７が形成されていると共に、蓋パーツ６にはこの案内溝５７に収まる突部６０が形成されており、（図３）これにより蓋パーツ６は底板５２と略平行となる姿勢を保ちながら、受け入れパーツ５にスライド移動可能に支持されている。この蓋パーツ６と底板５２との間には付勢手段としての圧縮コイルバネ７が介在されており、このバネ７によって、蓋パーツ６はその表面を外鍔５４の上面よりのやや外方に位置させて受け入れパーツ５の入り口５３を閉塞させた閉塞位置に位置づけられる。（図３）蓋パーツ６の部にはこの閉塞位置から先への蓋パーツ６の移動を規制するように受け入れパーツ５の一部に底板５２側から当接する当接部６１が形成してある。
【００３０】
受け入れパーツ５の長寸側の側板５１にはそれぞれ、窓穴５８が形成されている。受け入れパーツ５は、入り口５３とこれに続くその内郭形状を雄部材の第二パーツ４の角筒状部４１のその筒軸に直交する向きの断面外郭形状に倣わせ、かつ、その内部をこの角筒状部４１をガタ少なく納めるように構成されている。そして、この実施の形態にあっては、雄部材Ｍの第一パーツ３の脚部３１が前記のように通された角筒状部４１を雌部材Ｆの受け入れパーツ５に、角筒状部４１の長辺側が受け入れパーツ５の入り口５３の長寸側に沿い、かつ、角筒状部４１の短辺側が受け入れパーツ５の入り口５３の短寸側に沿う向きで前記突出部４０ｇを弾性変形させながら入れ込ませると共に、第二パーツ４の通し穴４０ａ及びこの通し穴４０ａに連通した角筒状部４１を軸受けとして第一パーツ３をその脚部３１を軸として所定捻回位置まで捻回させることで、第一パーツ３を受け入れパーツ５に掛合させるようにしてある。
【００３１】
具体的には、図示の例にあっては、連結対象の他の一つ２は、前記取り付け穴２０ａを備えたベースプレート２０と、このベースプレート２０の一面を覆う化粧プレート２１とから構成されていると共に、化粧プレート２１に備えられた貫通穴２１ａを通じてベースプレート２０に取り付けられた雌部材Ｆの受け入れパーツ５の入り口５３からこの受け入れパーツ５内に雄部材Ｍの第一パーツ３のロック片３１ｂによって前記付勢に抗して蓋パーツ６を押し込みながら、このロック片３１ｂの頭部３０の側を向いた面が受け入れパーツ５の入り口５３側にある窓穴５８の窓縁と同じか、これよりも底板５２側に近い位置までこの第一パーツ３の脚部３１を入り込ませることができるようになっている。そして、このとき、化粧プレート２１に雄部材Ｍの第二パーツ４の突出部４０ｇを弾性変形させながら押しつけさせるようになっている。そして、この状態から、回り止め部４０ｍを連結対象の一つ１の取り付け穴１０の分岐穴部１０ｂに入れ込ませて回り止めされた第二パーツ４を軸受けとするようにして雄部材Ｍの第一パーツ３を、所定捻回位置まで捻回、図示の例では約９０度、正転又は逆転させると、雌部材Ｆの受け入れパーツ５の窓穴５８にロック片３１ｂが入り込み、さらに突き出されるようになっている。
【００３２】
これにより、この実施の形態にあっては、連結対象の一つ１に取り付けられた雄部材Ｍの第一パーツ３の脚部３１を、連結対象の他の一つ２に取り付けられた雌部材Ｆの受け入れパーツ５に入れ込ませた後、これを所定捻回位置まで捻回させることで、連結対象の一つ１と連結対象の他の一つ２を、ガタつき少なく留め付け合わせることができるようになっている。すなわち、第一に、第一パーツ３の脚部３１が前記のように通された雄部材Ｍの角筒状部４１は、その前記外郭形状に倣った雌部材Ｍの受け入れパーツ５の内郭形状によってガタつき少なくこの受け入れパーツ５に納められることから、雄部材Ｍの脚部３１の入れ込み方向に直交する向きにおいて雄部材Ｍと雌部材Ｆとはガタつき少なく組み合わされる。また、第二に、雌部材Ｆの受け入れパーツ５に入れ込まれた雄部材Ｍの第一パーツ３の脚部３１は蓋パーツ６の付勢によりこの受け入れパーツ５から押し出させる向きの付勢を蒙ると共に、第二パーツ４の突出部４０ｇの弾性変形により両連結対象１、２を離す向きの力が作用されることから、第一パーツ３と受け入れパーツ５との掛合箇所、つまり、前記ロック片３１ｂと窓穴５８の窓縁とを押し付け合わせることができる。かかる留め付け状態は、雄部材Ｍの第一パーツ３を捻回前の位置まで逆向きに捻回させることで、前記付勢により第一パーツ３の脚部３１は雌部材Ｆの受け入れパーツ５から押し出され、スムースに解かれる。雌部材Ｆの受け入れ部の入り口５３は付勢により復帰される蓋パーツ６により再び閉塞される。
【００３３】
図１１〜図１４は、雄部材Ｍの第一パーツ３に、連結対象の他の一つ２に備えられた電極２２に、所定捻回位置において接して、連結対象の一つ１に備えられた電気回路と他の一つに備えられた電気回路とを接続させる電極３２を備えさせた例を示している。
【００３４】
この例では、前記ベースプレート２０に形成された取り付け穴２０ａにおける、雌部材Ｆの受け入れパーツ５の二箇所の窓穴５８、５８の一方の外側に位置される箇所に陰極及び陽極のいずれか一方の電極２２を、この受け入れパーツ５の二箇所の窓穴５８、５８の他方の外側に位置される箇所に陰極及び陽極の他方の電極２２が配されるように、ベースプレート２０に電極２２が取り付けられている。（図１３）図中符号２３はこの電極を覆うカバー体である。（図１２）図示の例ではかかる電極２２は、窓穴５８の外側方に自由端２２ａを位置させるようにレイアウトされた板状の導体として構成され、その基端２２ｂに連結対象の他の一つ２に備えられた電気回路を構成する導線などが接続されるようになっている。
【００３５】
一方、この例では、雄部材Ｍの第一パーツ３の脚部３１のロック片３１ｂの一方の先端に陰極及び陽極のいずれか一方の電極３２が、このロック片３１ｂの他方の先端にこれらの他方の電極３２が備えられている。図示の例ではかかる電極は、このロック片３１ｂの先端に一端３２ａを臨ませてこのロック片３１ｂにおける頭部３０に向けられた側と反対の面に沿ってロック片３１ｂの長さ方向中程の位置まで延び、そこから折り曲げられてこの中程の位置から脚部３１を貫通して頭部３０に至る中空部３１ｃに納められて、この頭部３０内に連結対象の一つ１に備えられた電気回路を構成する導線などの接続部３２ｂを位置させた板状の導体として構成されている。
【００３６】
そして、この例にあっては、雌部材Ｆの受け入れパーツ５内に雄部材Ｍの第一パーツ３の脚部３１を入れ込ませた状態から、図１４における時計回りの向きにこの第一パーツ３を捻回させることにより、窓穴５８から突き出されるロック片３１ｂの電極３２がベースプレート２０に備えられたこれに対応する電極２２に押しつけられるようになっている。（図１３）
【００３７】
これにより、この例にあっては、連結対象の一つ１と他の一つとを連結装置により連結させながら、同時にこれらに備えられた電気回路を接続させることができるようになっている。
【００３８】
この例ではまた、雄パーツの第一パーツ３の円形隆起部３０ａの直径方向両側に、連結対象の一つ１に設けられた取り付け穴１０の主穴部１０ａに入り込むと共に、前記所定捻回位置への捻回前の状態において、（図１４）第二パーツ４の通し穴４０ａの短辺４０ｃ側のリブ状突部４０ｈの近傍に位置される突出部３０ｄが形成されている。具体的には、図１４における右側では、この右側に位置されるリブ状突部４０ｈの下方でその近傍に突出部３０ｄが位置され、かつ、図１４における左側では、この左側に位置されるリブ状突部４０ｈの上方でその近傍に突出部３０ｄが位置されるようになっている。そして、これにより、かかる第一パーツ３は図１４における時計回りの向きで、しかも、所定捻回位置への捻回前の状態において近傍にあったリブ状突部４０ｈと反対側にあるリブ状突部４０ｈに突出部３０ｄが突き当たる位置を限度として、捻回されるようになっている。
【００３９】
すなわち、この例では、雄部材Ｍの第二パーツ４は、第一パーツ３の捻回前位置からの逆転を阻止する第一規制部４０ｊと、第一パーツ３の所定捻回位置から先への正転を阻止する第二規制部４０ｋとを備えている。
【００４０】
これにより、この例にあっては、雄部材Ｍと雌部材Ｆとの留め付けを、雄部材Ｍの第一パーツ３を正転方向に捻回操作することによってのみ実現されるようにできると共に、所定捻回位置を超えて捻回されてこの留め付け状態が不十分になってしまうことがないようになっている。また、これにより、雄部材Ｍに前記電極を備えさせたときには、連結対象の他の一つ２の陽極と雄部材Ｍの陽極が、また、連結対象の他の一つ２の陰極と雄部材Ｍの陰極とが、前記所定捻回位置への捻回により正しく接するようにすることができる。
【００４１】
この例では、雄部材Ｍの第一パーツ３の頭部３０にこの捻回の向きの表示３０ｅと、陰極及び陽極の位置を示す表示３０ｆが設けられている。
【００４２】
なお、連結対象の他の一つ２の側に備えられる電極２２は、雌部材Ｆ自体に設けさせるようにすることもある。
【図面の簡単な説明】
【００４３】
【図１】雄部材Ｍの分離斜視図
【図２】雄部材Ｍの分離斜視図（図１と反対の側から見た状態）
【図３】雌部材Ｆの斜視図
【図４】雄部材Ｍを連結対象の一つ１に取り付けさせた状態を示した底面図
【図５】図４におけるＡ−Ａ線断面図
【図６】図４におけるＢ−Ｂ線断面図
【図７】図５におけるＣ−Ｃ線位置での断面図
【図８】連結対象の一つ１と連結対象の他の一つ２とを連結させた状態を示した底面図
【図９】図８におけるＤ−Ｄ線断面図
【図１０】図８におけるＥ−Ｅ線断面図
【図１１】変更例にかかる雄部材Ｍの斜視図
【図１２】変更例によって連結対象の一つ１と連結対象の他の一つ２とを連結させた状態を示した側断面図
【図１３】図１２におけるＦ−Ｆ線断面図
【図１４】連結対象の一つ１に変更例にかかる雄部材Ｍを取り付けた状態の断面図（図７に相当する図）
【符号の説明】
【００４４】
１  連結対象の一つ
１０  取り付け穴
２  連結対象の他の一つ
Ｍ  雄部材
３  第一パーツ
３０  頭部
３１  脚部
４  第二パーツ
４０ａ  通し穴
４０ｇ  突出部
５  受け入れパーツ
５３  入り口
６  蓋パーツ
【図１】
0005001902.tif 000002
【図２】
0005001902.tif 000003
【図３】
0005001902.tif 000004
【図４】
0005001902.tif 000005
【図５】
0005001902.tif 000006
【図６】
0005001902.tif 000007
【図７】
0005001902.tif 000008
【図８】
0005001902.tif 000009
【図９】
0005001902.tif 000010
【図１０】
0005001902.tif 000011
【図１１】
0005001902.tif 000012
【図１２】
0005001902.tif 000013
【図１３】
0005001902.tif 000014
【図１４】
0005001902.tif 000015